(57)【特許請求の範囲】
【請求項１】
壁面に装着される混合水栓の取付構造であって、水用配管、湯用配管と混合水栓とを接続する雄ねじ部が形成された水用及び湯用の連結管と、各連結管の前記配管と接続する雄ねじ部を挿通する各開口孔を備え、この開口孔の一方を他方より横長に開設した第１プレートと、この第１プレートの各開口孔と連通する開口孔を備えた第２プレートとから水栓固定具が構成され、前記連結管は雄ねじ部と第２プレートの開口孔周縁に当接するフランジとの間に回り止め部が形成され、両プレートを重ね合わせることで回り止め部は開口孔に挟持され、連結管の一方は開口孔内で左右移動自在に挟持された状態で水栓固定具は壁面に固定され、この連結管の左右の間隔を調節自在にした水栓固定具に混合水栓が装着されることを特徴とする混合水栓の取付構造。
【発明の詳細な説明】
【０００１】
【発明の属する技術分野】
本発明は混合水栓の壁面への取付構造に関し、詳しくは水用配管及び湯用配管にクランク形の取付脚を使用しないで混合水栓を接続する構造に関するものである。
【０００２】
【従来の技術】
従来、水用配管及び湯用配管に混合水栓を接続する際に、両配管の間隔と混合水栓の水側及び湯側の接続部の間隔との寸法誤差を吸収するために通常使用されるクランク形の取付脚を使用しないようにして混合水栓の壁面から前方への突出量を少なくしたものとして特開平８−１８４０８２号公報のものがある。上記発明は給水、給湯両配管の端部に接続した両エルボを一定間隔に保持するプレートを設け、両エルボをプレートに沿って摺動させた後に止めネジを締め付けることにより、両エルボの間隔を混合水栓の水側及び湯側の各接続部の間隔に合わせて調節し、エルボと接続部の間をそれぞれストレート取付脚により接続するものである。
【０００３】
上記発明ではプレートを両エルボに固定するが、この際両エルボの接続口の間隔を混合水栓の接続部の間隔と一致するように調節しておき、プレートの両端で止めネジを締め付けなければならず、締め付け位置が簡単には決まらないので何度もネジを締めたり外したりしなければならず作業性が悪く、正確な位置に調節するには時間のかかるものであった。
【０００４】
【発明が解決しようとする課題】
本発明が解決しようとする課題は、混合水栓を水用配管及び湯用配管にクランク形の取付脚を使用しないで壁面に装着する際に、両配管と混合水栓の両入口の間隔に誤差があっても簡単に取付けられるようにすることである。
【０００５】
【課題を解決するための手段】
本発明は、壁面に装着される混合水栓の取付構造であって、水用配管、湯用配管と混合水栓とを接続する雄ねじ部が形成された水用及び湯用の連結管と、各連結管の前記配管と接続する雄ねじ部を挿通する各開口孔を備え、この開口孔の一方を他方より横長に開設した第１プレートと、この第１プレートの各開口孔と連通する開口孔を備えた第２プレートとから水栓固定具が構成され、前記連結管は雄ねじ部と第２プレートの開口孔周縁に当接するフランジとの間に回り止め部が形成され、両プレートを重ね合わせることで回り止め部は開口孔に挟持され、連結管の一方は開口孔内で左右移動自在に挟持された状態で水栓固定具は壁面に固定され、この連結管の左右の間隔を調節自在にした水栓固定具に混合水栓が装着されるものである。
【０００６】
【発明の実施の形態】
以下、本発明の実施の形態を図に基づいて詳細に説明する。本発明は図１及び図２に示すように、互いに重なり合う２枚のプレート１、２と一対の連結管３、３ａからなる水栓固定具Ａを壁面Ｂに固定し、この水栓固定具Ａに混合水栓４を装着するものである。
【０００７】
第１プレート１は図３に示すように、薄肉の金属板材で壁面Ｂに密接する横長の垂直部５と、この垂直部５の左右両端より前方に折曲して形成した支持部６を有しており、前記垂直部５は連結管３、３ａを挿通して挟持するための開口孔７、８、９を左右方向に等間隔で３個開設し、この開口孔７、８、９はいづれも上部に平行部７ａ、８ａ、９ａを有した略円形で、中央の第１開口孔７は壁裏でシャワーホースと接続する連結管（図示省略）が挿通し、両端の水用連結管３及び湯用連結管３ａが挿通する第２開口孔８及び第３開口孔９のうち一方の開口孔は他方の開口孔より上半分の横幅をやや長く開設しており、本実施例では第２開口孔８の平行部８ａの間隔Ｘは第３開口孔９の平行部９ａの間隔Ｙより数ミリ広い。そして垂直部５にはビス１１が挿通する挿孔１０を図面中下方に等間隔で３個、上方に２個穿設している。
【０００８】
第２プレート２は図４に示すように、前記第１プレート１と同じく薄肉の金属板材で横長に形成し、第１プレート１と重なり合わせた時に各開口孔７、８、９と向かい合う第４開口孔１４、第５開口孔１５及び第６開口孔１６を開設し、シャワー用の連結管が挿通する中央の第４開口孔１４は前記第１開口孔７と形状は同一であるが上下を逆にして平行部１４ａを下部に有し、水用連結管３及び湯用連結管３ａが挿通する第５開口孔１５、第６開口孔１６はいづれも前記第２開口孔８と形状は同一であるが上下を逆にして平行部１５ａ、１６ａを下部に有している。そして第１プレート１の各挿孔１０と重なり合うようにビス１１が挿通する挿孔１７を下方に等間隔で３個、上方に２個穿設している。
【０００９】
水用及び湯用の連結管３、３ａは図６及び図７に示すように、円筒状に形成されて内部に水、湯が通過する通路１８を貫通して形成し、一方の周面には水用配管２３又は湯用配管２４と接続する長めの雄ねじ部１９を形成し、他方には混合水栓４の水入口２８及び湯入口２９と各シール部材２０ａにより水密的に結合する嵌合部２０を形成し、この嵌合部２０と雄ねじ部１９の間には雄ねじ部１９より小径で前記第１プレート１の第３開口孔９の水平部９ａと同一寸法の平行部２１ａを上下に有した回り止め部２１、及び第２プレート２の各開口孔１５、１６より大径の円形で開口孔１５、１６の周縁に当接するフランジ２２を形成している。
【００１０】
従って図５に示すように第１プレート１と第２プレート２を重なり合わせ、湯用連結管３ａを第６開口孔１６から第３開口孔９に、水用連結管３を第５開口孔１５から第２開口孔８に貫挿した後に各ビス１１及びナット（図示省略）の締結により両プレート１、２を固定すると、湯用連結管３ａは回り止め部２１の周縁が第１プレート１の第３開口孔９及び第２プレート２の第６開口孔１６周縁に挟着されて上下及び左右に移動しない状態で固定される。また、水用連結管３は回り止め部２１の周縁が第１プレート１の第２開口孔８及び第２プレート２の第５開口孔１５周縁に挟着されているが、第２開口孔８は平行部８ａの間隔Ｘは回り止め部２１より数ミリ広いためその範囲で左右へスライドさせることができる。
【００１１】
混合水栓４は図１に示すように中央下方に湯水を吐出する吐水管２５を取付け、左右両端に湯水の温度及び流量を調節するハンドル２６をそれぞれ取付け、図８に示すように左右両端に各ハンドル２６と併設して前記第１プレート１の支持部６に設けたビス孔１３と連通するビス孔２７を設け、壁面Ｂに向けて裏側に開口した水入口２８から混合室３０へ連通する水流路３１、及び同じく壁面Ｂに向けて裏側に開口した湯入口２９から混合室３０へ連通する湯流路３２にそれぞれ順に止水栓３３及び逆止弁３５と一体のストレーナ３４を並列で着脱自在に装着している。
【００１２】
このように、通常クランク形の取付脚に装着する止水栓、逆止弁及びストレーナを本発明では混合水栓の内部に装着しているが、止水栓３３の下流側にストレーナ３４を配置すれば、止水栓３３の操作で止水状態にしておけばストレーナ３４へ水又は湯は流入しないから、ストレーナ３４を混合水栓４から外して清掃することができ、わざわざ混合水栓４から離れた位置に設けられた元栓を操作する必要がない。
【００１３】
前記混合水栓４の混合室３０には下方に開口した第１出口３６、及び前記水入口２８と湯入口２９の間で壁面Ｂに向けて開口した第２出口３７を形成し、混合水栓４の取付現場に応じていづれか一方の出口にシャワーホース３９を接続するアダプター３８又は両プレート１、２の開口孔７、１４を挿通する連結管を結合し、他方の出口には盲蓋をすることで、シャワーホースの取出し方向を混合水栓４の下部、又は壁面Ｂから引き出すもののどちらにも変更可能である。
【００１４】
いま混合水栓４を壁面Ｂに取付けるには、まず図２に示すように水栓固定具Ａの第１プレート１と第２プレート２を第２開口孔８と第５開口孔１５、及び第３開口孔９と第６開口孔１６が連通するように重ね合わせ、水用連結管３を第５開口孔１５から第２開口孔８に、湯用連結管３ａを第６開口孔１６から第３開口孔９に挿通して両連結管３、３ａの雄ねじ部１９を第１プレート１から裏側に突出させる。この時湯用連結管３ａは図５に示すように回り止め部２１は両開口孔１６、９の周縁に挟持された状態で固定されているが、水用連結管３の回り止め部２１は、上下の平行部２１ａは両開口孔１５、８の平行部１５ａ、８ａで挟持されているのに対し、左右へは数ミリの隙間Ｔがあるため左右へのみスライド可能である。
【００１５】
次にこの両プレート１、２を上下全５ヶ所の挿孔１０、１７に一方からビス１１を挿通し他方からこのビス１１にナットを螺着して強固に結合し、両連結管３、３ａを壁面Ｂの壁孔Ｃに挿通して両プレート１、２を壁面Ｂに密接させ、壁面Ｂの裏側で各連結管３、３ａをそれぞれ水用配管２３及び湯用配管２４に接続して、壁面Ｂの裏側から固定ナット４０を各連結管３、３ａの雄ねじ部１９に螺着すれば両プレート１、２は各連結管３、３ａのフランジ２２と固定ナット４０で挟持され、水栓固定具Ａは壁面Ｂに固定される。
【００１６】
続いて混合水栓４を裏側から壁面Ｂに密接して水栓固定具Ａを覆うが、この時混合水栓４の水入口２８と湯入口２９の間隔に合わせて水用連結管３を左右へ数ミリスライドさせ、両連結管３、３ａの間隔を両入口２８、２９の間隔と同一となるように調節し、混合水栓４の両入口２８、２９と各連結管３、３ａの嵌合部２０を水密的に結合する。
【００１７】
そして混合水栓４の左右両端からビス１２を混合水栓のビス孔２７から第１プレート１のビス孔１３に挿入してドライバー等で締め付ければ、混合水栓４を水栓固定具Ａに装着することができる。
【００１８】
【発明の効果】
本発明では、壁面に装着される混合水栓の取付構造であって、水用配管、湯用配管と混合水栓とを接続する雄ねじ部が形成された水用及び湯用の連結管と、各連結管の前記配管と接続する雄ねじ部を挿通する各開口孔を備え、この開口孔の一方を他方より横長に開設した第１プレートと、この第１プレートの各開口孔と連通する開口孔を備えた第２プレートとから水栓固定具が構成され、前記連結管は雄ねじ部と第２プレートの開口孔周縁に当接するフランジとの間に回り止め部が形成され、両プレートを重ね合わせることで回り止め部は開口孔に挟持され、連結管の一方は開口孔内で左右移動自在に挟持された状態で水栓固定具は壁面に固定され、この連結管の左右の間隔を調節自在にした水栓固定具に混合水栓が装着されるので、混合水栓の水入口、湯入口の間隔と一致するように両連結管の間隔を調節しながら混合水栓を水栓固定具に装着することができ、混合水栓の壁面への取付けが容易であり、作業時間を大幅に短縮することができる。
【図面の簡単な説明】
【図１】  本発明の混合水栓及び水栓固定具の分解斜視図である。
【図２】  本発明の混合水栓の水栓固定具への取付要領の説明図である。
【図３】  第１プレートの正面図である。
【図４】  第２プレートの正面図である。
【図５】  第１プレートと第２プレートを重ね合わせた状態を示す正面図である。
【図６】  連結管の側面図である。
【図７】  図６のＺ─────Ｚ線の縦断面図である。
【図８】  混合水栓の平断面図である。
【符号の説明】
１            第１プレート
２            第２プレート
３            水用連結管
３ａ          湯用連結管
４            混合水栓
８            第２開口孔
９            第３開口孔
１１、１２    ビス
１５          第５開口孔
１６          第６開口孔
１９          雄ねじ部
２１          回り止め部
２２          フランジ
２３          水用配管
２４          湯用配管
３１          水流路
３２          湯流路
３３          止水栓
３４          ストレーナ
【図１】
0003639710.tif 000002
【図２】
0003639710.tif 000003
【図３】
0003639710.tif 000004
【図４】
0003639710.tif 000005
【図５】
0003639710.tif 000006
【図６】
0003639710.tif 000007
【図７】
0003639710.tif 000008
【図８】
0003639710.tif 000009